【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
基板上の画像表示領域に配置された表示用電極と、
前記画像表示領域の周囲を規定する額縁遮光膜と、
前記額縁遮光膜に対して光の出射側において、前記表示用電極に画素スイッチング用素子を介して又は直接接続されると共に前記額縁遮光膜の領域内に設けられた配線及び回路素子の少なくとも一方からなるパターン部と、
前記額縁遮光膜の領域の一部において、前記パターン部を少なくとも部分的に前記パターン部に対して光の出射側から覆う下側遮光膜と
を備えたことを特徴とする電気光学装置。
【請求項２】
前記下側遮光膜は、前記基板の平坦な表面上に、直に又は平坦な下地絶縁膜を介して形成されていることを特徴とする請求項１に記載の電気光学装置。
【請求項３】
前記回路素子は、第１トランジスタを含み、
前記表示用電極は、画素電極からなり、
当該電気光学装置は、前記画素スイッチング用素子として前記画素電極に接続された第２トランジスタを更に備えており、
前記配線は、前記第２トランジスタに接続されていることを特徴とする請求項１又は２に記載の電気光学装置。
【請求項４】
前記第２トランジスタの少なくともチャネル領域の下側に前記下側遮光膜と同一膜が設けられていることを特徴とする請求項３に記載の電気光学装置。
【請求項５】
前記下側遮光膜は、光吸収膜からなることを特徴とする請求項１から４のいずれか一項に記載の電気光学装置。
【請求項６】
前記光吸収膜は、ポリシリコン膜及び高融点金属膜のうち少なくとも一方を含むことを特徴とする請求項５に記載の電気光学装置。
【請求項７】
前記下側遮光膜は、島状に形成されていることを特徴とする請求項１から６のいずれか一項に記載の電気光学装置。
【請求項８】
前記下側遮光膜は、導電膜からなることを特徴とする請求項１から７のいずれか一項に記載の電気光学装置。
【請求項９】
前記下側遮光膜は、少なくとも部分的に固定電位が供給されていることを特徴とする請求項８に記載の電気光学装置。
【請求項１０】
前記下側遮光膜のうち少なくとも前記第１トランジスタの下側に積層された部分は、フローティング電位とされていることを特徴とする請求項８に記載の電気光学装置。
【請求項１１】
前記下側遮光膜のうち少なくとも前記第１トランジスタの下側に積層された部分は、前記下側遮光膜のうち前記第１トランジスタのソース電極に対向する部分と前記下側遮光膜のうち前記第１トランジスタのドレイン電極に対向する部分とを相互分離するように島状に設けられた部分を含むことを特徴とする請求項１０に記載の電気光学装置。
【請求項１２】
前記下側遮光膜のうち少なくとも前記第１トランジスタの下側に積層された部分には、前記下側遮光膜のうち前記第１トランジスタのソース電極に対向する部分と、前記下側遮光膜のうち前記第１トランジスタのドレイン電極に対向する部分とを分離するようにスリットが設けられていることを特徴とする請求項８から１０のいずれか一項に記載の電気光学装置。
【請求項１３】
前記下側遮光膜は、前記第１トランジスタのチャネル領域下側に積層されていないことを特徴とする請求項８に記載の電気光学装置。
【請求項１４】
前記下側遮光膜のうち少なくとも前記第１トランジスタのチャネル領域下側に積層された部分は、前記第１トランジスタのゲート電位とされていることを特徴とする請求項８に記載の電気光学装置。
【請求項１５】
前記下側遮光膜は、前記額縁遮光膜の領域に照射される入射光部分の入射角度に応じて予め設定される所定幅だけ前記画像表示領域の外周から周辺側に至る額縁遮光膜の領域内に形成されていることを特徴とする請求項１から１４のいずれか一項に記載の電気光学装置。
【請求項１６】
前記額縁遮光膜は、前記基板に対向配置された対向基板に設けられた第１遮光膜と前記基板に設けられた第２遮光膜とで構成されることを特徴とする請求項１から１５のいずれか一項に記載の電気光学装置。
【請求項１７】
基板上の画像表示領域に配置された表示用電極と、
前記画像表示領域の周囲を規定する額縁遮光膜と、
前記表示用電極に画素スイッチング用素子を介して又は直接接続されるとともに前記画像表示領域の周囲を規定する前記額縁遮光膜の領域内に設けられた配線及び回路素子の少なくとも一方からなるパターン部と、
前記額縁領域の一部において、前記パターン部を少なくとも部分的に前記パターン部に対して光の出射側から覆う下側遮光膜と、
前記額縁遮光膜の領域内における前記パターン部の形成領域以外の領域に形成され前記下側遮光膜と同一膜として形成された第２下側遮光膜と、
を備えたことを特徴とする電気光学装置。
【請求項１８】
基板上の画像表示領域に配置された表示用電極と、
前記画像表示領域の周囲を規定する額縁遮光膜と、
前記表示用電極に画素スイッチング用素子を介して接続されると共に前記画像表示領域の周囲を規定する前記額縁遮光膜の領域内に設けられた配線及び回路素子の少なくとも一方からなるパターン部と、
前記額縁領域の一部において、前記パターン部を少なくとも部分的に前記パターン部に対して光の出射側から覆う下側遮光膜と、
前記画素スイッチング用素子としての第２トランジスタの少なくともチャネル領域を前記基板側から覆い、前記下側遮光膜と同一膜として形成された領内遮光膜と、
前記額縁遮光膜の領域を含み前記画像表示領域の周辺に位置する周辺領域の少なくとも一部に、前記下側遮光膜及び前記領内遮光膜と同一膜として形成された領外遮光膜と、
を備えたことを特徴とする電気光学装置。
【請求項１９】
前記領外遮光膜は、前記額縁遮光膜の領域内における前記パターン部の形成領域以外の領域に、前記下側遮光膜と同一膜として形成された第２下側遮光膜を含むことを特徴とする請求項１８に記載の電気光学装置。
【請求項２０】
前記周辺領域には、前記パターン部と接続されるとともに前記表示用電極を駆動するための周辺回路が更に備えられてなり、
前記領外遮光膜は、前記周辺回路を構成する各配線間及び各回路素子間並びに配線及び回路素子間の少なくとも一組を接続する第２パターン部の形成領域以外の領域に形成されていることを特徴とする請求項１８又は１９に記載の電気光学装置。
【請求項２１】
前記領外遮光膜は、島状に形成されていることを特徴とする請求項１７乃至２０のいずれか一項に記載の電気光学装置。
【請求項２２】
相隣接する島間の距離は、４μｍ以下であることを特徴とする請求項２１に記載の電気光学装置。
【請求項２３】
当該電気光学装置を実装するとともに前記画像表示領域に対応する表示窓が形成された実装ケースが更に備えられてなり、
前記第２下側遮光膜及び前記領外遮光膜の少なくとも一方は、前記表示窓の縁と前記画像表示領域の縁との間の領域に少なくとも部分的に形成されていることを特徴とする請求項１７乃至２２のいずれか一項に記載の電気光学装置。
【請求項２４】
前記額縁遮光膜は少なくともアルミニウムを含むことを特徴とする請求項１７乃至２３のいずれか一項に記載の電気光学装置。
【請求項２５】
請求項１から２４のいずれか一項に記載の電気光学装置を具備してなることを特徴とする電子機器。
【手続補正２】
【補正対象書類名】明細書
【補正対象項目名】００１１
【補正方法】変更
【補正の内容】
【００１１】
【課題を解決するための手段】
本発明の第１電気光学装置は上記課題を解決するために、基板上の画像表示領域に配置された表示用電極と、前記画像表示領域の周囲を規定する額縁遮光膜と、前記額縁遮光膜に対して光の出射側において、前記表示用電極に画素スイッチング用素子を介して又は直接接続されると共に前記額縁遮光膜の領域内に設けられた配線及び回路素子の少なくとも一方からなるパターン部と、前記額縁遮光膜の領域の一部において、前記パターン部を少なくとも部分的に前記パターン部に対して光の出射側から覆う下側遮光膜とを備える。
【手続補正３】
【補正対象書類名】明細書
【補正対象項目名】００１２
【補正方法】変更
【補正の内容】
【００１２】
本発明の第１電気光学装置によれば、例えばデータ線、走査線等の配線が画像表示領域から引き出されて額縁遮光膜の領域（以下、額縁領域という）内に配置される。或いは、これに代えて又は加えて、引き出された配線に接続された周辺回路の少なくとも一部を構成するトランジスタ或いはＴＦＴ、ＴＦＤ等の回路素子が額縁領域内に配置される。そしてこのように額縁領域内に設けられた配線や回路素子を介して画像信号等を、画素電極等の表示用電極にＴＦＴ等の画素スイッチング用素子を介して或いは直接供給することにより、アクティブマトリクス駆動やパッシブマトリクス駆動などが可能となる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００４５
【補正方法】変更
【補正の内容】
【００４５】
本発明の第１の電気光学装置の他の態様では、前記下側遮光膜は、前記額縁遮光膜の領域に照射される入射光部分の入射角度に応じて予め設定される所定幅だけ前記画像表示領域の外周から周辺側に至る額縁遮光膜の領域内に形成されている。
【手続補正７】
【補正対象書類名】明細書
【補正対象項目名】００４８
【補正方法】変更
【補正の内容】
【００４８】
そこで、本発明の第２電気光学装置は、上記課題を解決するために、基板上の画像表示領域に配置された表示用電極と、前記画像表示領域の周囲を規定する額縁遮光膜と、前記表示用電極に画素スイッチング用素子を介して又は直接接続されるとともに前記画像表示領域の周囲を規定する前記額縁遮光膜の領域内に設けられた配線及び回路素子の少なくとも一方からなるパターン部と、前記額縁領域の一部において、前記パターン部を少なくとも部分的に前記パターン部に対して光の出射側から覆う下側遮光膜と、  前記額縁遮光膜の領域内における前記パターン部の形成領域以外の領域に形成され前記下側遮光膜と同一膜として形成された第２下側遮光膜と、を備えている。
【手続補正８】
【補正対象書類名】明細書
【補正対象項目名】００５３
【補正方法】変更
【補正の内容】
【００５３】
そこで、本発明の第３電気光学装置は、上記課題を解決するために、基板上の画像表示領域に配置された表示用電極と、前記画像表示領域の周囲を規定する額縁遮光膜と、前記表示用電極に画素スイッチング用素子を介して接続されると共に前記画像表示領域の周囲を規定する前記額縁遮光膜の領域内に設けられた配線及び回路素子の少なくとも一方からなるパターン部と、前記額縁領域の一部において、前記パターン部を少なくとも部分的に前記パターン部に対して光の出射側から覆う下側遮光膜と、前記画素スイッチング用素子としての第２トランジスタの少なくともチャネル領域を前記基板側から覆い、前記下側遮光膜と同一膜として形成された領内遮光膜と、前記額縁遮光膜の領域を含み前記画像表示領域の周辺に位置する周辺領域の少なくとも一部に、前記下側遮光膜及び前記領内遮光膜と同一膜として形成された領外遮光膜と、を備えている。
【手続補正９】
【補正対象書類名】明細書
【補正対象項目名】００７５
【補正方法】変更
【補正の内容】
【００７５】
本発明の第２又は第３電気光学装置の他の態様では、前記額縁遮光膜は少なくともアルミニウムを含む。